(57)【要約】 【課題】  従来のボタン型ＲＦＩＤタグの工程を簡素化し、製造工程のリードタイムを減少、製造コストを軽減させ、また、従来のボタン型ＲＦＩＤタグのデザインの制約に対応して量産性を向上させ、信頼性と汎用性の高いドットボタン型ＲＦＩＤを提供すること。【解決手段】  布地又は皮革を貫通する凸部９，１４を備える第１部品と、前記凸部９，１４と係合する凹部１０，１５を備える第２部品を備え、第１部品又は第２部品の少なくとも一方が、樹脂素材で構成され、かつ内部にアンテナ７，１７及びＩＣチップ８，１８を内蔵する。【選択図】  図１
2008165484.tif 000002
【特許請求の範囲】
【請求項１】
布地又は皮革を貫通する凸部を備える第１部品と、前記凸部と係合する凹部を備える第２部品を備え、前記第１部品又は第２部品の少なくとも一方が、樹脂素材で構成され且つ内部にアンテナ及びＩＣチップが内蔵されたことを特徴とするドットボタン型ＲＦＩＤ。
【発明の詳細な説明】
【技術分野】
【０００１】
本発明は、ＩＣチップを搭載することで非接触ＩＣタグとして使用されるドットボタン型のＲＦＩＤ（Radio  Frequency  Identification：無線周波数による非接触自動識別）に関し、特に布製品や革製品につける際に好適なドットボタン型ＲＦＩＤに関するものである。なお、ここで扱うドットボタン型のドットボタンは、元来、デニム製洋服、レザー製洋服などに用いる頑丈な金属性のスナップボタンのことを指している。
【背景技術】
【０００２】
近年、ＩＣチップを内蔵し、情報を無線で送受信することができる非接触ＩＣタグが注目され、製品の管理や情報案内等、多方面で利用されている。これに伴い、非接触ＩＣタグの形態も多様化しており、製品への埋め込み式のものや、細長いひも状のもの、ボタン形状のもの等がある。
【０００３】
例えば、クリーニング等における衣類管理に使用されているボタン状のＲＦＩＤは、糸を用いて直接衣類に縫い付けられる。代表的な形状としては、円盤状のボタン中心部に、縫い付け用の糸通し穴として、四つ穴または二つ穴が設けられているものや、くるみ状のボタン裏面に形成される突起に、縫い付け用の糸通し穴が形成されているものが挙げられる。図２は、従来のボタン型ＲＦＩＤタグである。なお、図２（ａ）は平面図、図２（ｂ）はＢ−Ｂ’断面図である。図２に示すように、従来のボタン型ＲＦＩＤタグは、縫製用の開口部５をもつボタン本体１とその内部に形成されたアンテナ２と、同じくボタン本体１内に形成されている、接続固定部３にてアンテナ２と電気的に接続されたＩＣチップ４からなっている。この場合、管理対象の製品に取り付けるには、ボタンの開口部５に糸やワイヤを通し、縫製して製品に取り付ける必要があった。例えば、ボタン型ＲＦＩＤは、特許文献１に開示されている。
【０００４】
【特許文献１】特開２００５−３２２２１０号公報
【発明の開示】
【発明が解決しようとする課題】
【０００５】
従来のボタン型ＲＦＩＤタグは、縫製作業によって取り付けなければならないため、工程が煩雑化するという問題があった。その結果、製造工程のリードタイムが増加し、製造コストが増加していた。また、従来のボタン型ＲＦＩＤタグを実際の衣類用ボタンとして利用する場合は、そのボタン型ＲＦＩＤタグ自体が衣類の外側に露出することになるため、そのデザインに美しさが要求され、ボタン型ＲＦＩＤタグ内部にアンテナ２やＩＣチップ４を内蔵する構造上、そのデザインが制約されていた。そのため、デザインを多様化する必要性が生じ、様々な製品ラインナップを用意しなければならず、量産性に劣るという問題があった。
【０００６】
本発明は、上述した問題点を解決すべくなされたもので、簡素化した低コストの構造で、取り付け工程が簡易であり、従来のボタン型ＲＦＩＤタグのデザインの制約に対応して量産性を向上させ、信頼性と汎用性の高いドットボタン型ＲＦＩＤを提供することである。
【課題を解決するための手段】
【０００７】
上記課題を解決する本発明は、布地又は皮革を貫通する凸部を備える第１部品と、前記凸部と係合する凹部を備える第２部品を備え、前記第１部品又は第２部品の少なくとも一方が、樹脂素材で構成され、かつ内部にアンテナ及びＩＣチップが内蔵されたことを特徴とするドットボタン型ＲＦＩＤである。
【発明の効果】
【０００８】
本発明によれば、対象となる製品に簡易かつ安価に取り付けることが可能で、製造工程の簡易化、製造コストの低減が可能となる。また、デザインの多様化と量産性に適したドットボタン型ＲＦＩＤを得ることができる。
【発明を実施するための最良の形態】
【０００９】
以下、図面を参照しながら本発明の実施の形態の例について詳細に説明する。  
【００１０】
図１は、本発明の第１の実施の形態に係るドットボタン型ＲＦＩＤである。なお、図１（ａ）は平面図、図１（ｂ）はＡ−Ａ’断面図である。このドットボタン型ＲＦＩＤ１００は、雄側の部品１９と雌側の部品１１を備えており、この雄側の部品１９と雌側の部品１１の間に布等を挟み込むことで、傘、カバン、衣類等に固定される。
【００１１】
雄側の部品１９は、樹脂製のリング状の基材６と、この基材６内に同じくリング状に配置されたアンテナ７と、基材６内に配置されてアンテナ７に電気的に接合されたＩＣチップ８を備える。更に雄側の部品１９には、基材６の一部が雌側の部品１１側に突出するように成形・構成される凸部９を備える。この凸部９は被服等を貫通するようになっている。
【００１２】
雌側の部品１１は、同じくリング状の基材６によって構成されており、この基材６に雄側の部品１９の凸部９を収容・固定可能な凹部１０が形成されている。従って、雄側の部品１９の凸部９と、雌側の部品１１の凹部１０を嵌め合わせることで、ドットボタン型ＲＦＩＤ１００が取り付け対象となる製品を挟んで配置されることが可能である。
【００１３】
なお、このドットボタン型ＲＦＩＤ１００は、雄側の部品１９及び雌側の部品１１ともにリング状に構成されており、衣類等を挟んだ状態において中央に空洞が形成されることから、ドットボタンとしての雌ボタン側を構成していることになる。従って、上記窪に嵌めあう水玉状の突起が構成される雄ボタンを、別途衣類等に配置すれば、雄ボタンと雌ボタンを一組のドットボタンとして利用することが可能になる。
【００１４】
従って、本発明の第１の実施の形態に係るドットボタン型ＲＦＩＤによれば、前記ドットボタンのような形式で被服等に固定することが可能になるので、縫製作業が不要となり、被服等へ容易に設置することができる。特に、雄側の部品１９が樹脂によって構成されているので、通信障害が回避され、安定した情報管理を実現できる。また、実際のドットボタンとして利用することができるので、ドットボタン設置作業とドットボタン型ＲＦＩＤの設置作業を同時に行うことができ、作業効率を高めることができる。このため、衣類等に装着される雄ボタンは、デザイン性に富んだものを別途選択すれば良くなり、量産性の高いドットボタン型ＲＦＩＤを得ることができる。
【００１５】
図３は、本発明の第２の実施の形態に係るドットボタン型ＲＦＩＤである。なお、図３（ａ）は平面図、図３（ｂ）はＣ−Ｃ’断面図である。このドットボタン型ＲＦＩＤ２００は、第１実施の形態のドットボタン型ＲＦＩＤ１００と異なり、雌側の部品にＩＣチップ等が収容された構造となっている。具体的に、このドットボタン型ＲＦＩＤ２００は、雄側の部品１２と雌側の部品１６を備えている。雄側の部品１２は、樹脂製のリング状の基材１３と、その基材１３の一部が雌側の部品１６側に突出して構成される凸部１４を備える。一方、雌側の部品１６は、樹脂製のリング状の基材１３と、この基材１３に対して凹状に成型されて凸部１４を収容・固定可能な凹部１５と、基材１３内に同じくリング状に配置されるアンテナ１７と、このアンテナ１７に電気的に接合されたＩＣチップ１８を有する。
【００１６】
従って、本発明の第２の実施の形態に係るドットボタン型ＲＦＩＤによれば、前記ドットボタンのような形式で被服等に固定することが可能になるので、縫製作業が不要となり、被服等へ容易に設置することができる。特に、雌側の部品１６が樹脂によって構成されているので、通信障害が回避され、安定した情報管理を実現できる。また、実際のドットボタンとして利用することができるので、ドットボタン設置作業とドットボタン型ＲＦＩＤの設置作業を同時に行うことができ、作業効率を高めることができる。このため、衣類等に装着される雄ボタンは、デザイン性に富んだものを別途選択すれば良くなり、量産の高いドットボタン型ＲＦＩＤを得ることができる。
【図面の簡単な説明】
【００１７】
【図１】本発明の第１の実施の形態に係るドットボタン型ＲＦＩＤを示す図。図１（ａ）は平面図、図１（ｂ）はＡ−Ａ’断面図。
【図２】従来のボタン型ＲＦＩＤタグを示す図。図２（ａ）は平面図、図２（ｂ）はＢ−Ｂ’断面図。
【図３】本発明の第２の実施の形態に係るドットボタン型ＲＦＩＤを示す図。図３（ａ）は平面図、図３（ｂ）はＣ−Ｃ’断面図。
【符号の説明】
【００１８】
１    ボタン本体
２，７，１７    アンテナ
３    接続固定部
４，８，１８    ＩＣチップ
５    開口部
６，１３    基材
９，１４    凸部
１０，１５    凹部
１１，１６    雌側の部品
１２，１９    雄側の部品
１００，２００    ドットボタン型ＲＦＩＤ
【図１】
2008165484.tif 000003
【図２】
2008165484.tif 000004
【図３】
2008165484.tif 000005